(57)【特許請求の範囲】
【請求項１】
室内空気の吸込み口となる吸込みグリル、前記吸込みグリルの上面に取り付けられたフィルタ、前記吸込みグリルの周囲に設けられた空気を吹き出す吹出し口、を有する化粧パネルと、前記化粧パネルの上部に配置された筐体と、前記筐体の内部下面に前記吸込みグリルに対応する位置に設けられたベルマウスと、前記ベルマウスを通して空気を吸い込むとともに空気を吐き出す前記筐体の内部上面に設けられた遠心送風機と、前記遠心送風機の周囲に設けられた室内熱交換器と、を備えた空気調和機の室内機であって、
前記ベルマウスの下方側に制御基板を収納するための電気品箱が設置され、
前記電気品箱は、その内側側面が前記遠心送風機の空気吸入口の縁より中央側にせり出す構造であり、
前記吸込みグリルを通した吸い込み空気が前記電気品箱の内側側面の下端端部に当たらないように、前記吸い込み空気に対する遮蔽部材が前記吸込みグリルと前記電気品箱との間に設けられ、
前記遮蔽部材は、前記電気品箱の内側側面の側面部と一体構造であり、且つ前記側面部を前記フィルタに概ね接するまで延設したものである
ことを特徴とする空気調和機の室内機。
【請求項２】
室内空気の吸込み口となる吸込みグリル、前記吸込みグリルの上面に取り付けられたフィルタ、前記吸込みグリルの周囲に設けられた空気を吹き出す吹出し口、を有する化粧パネルと、前記化粧パネルの上部に配置された筐体と、前記筐体の内部下面に前記吸込みグリルに対応する位置に設けられたベルマウスと、前記ベルマウスを通して空気を吸い込むとともに空気を吐き出す前記筐体の内部上面に設けられた遠心送風機と、前記遠心送風機の周囲に設けられた室内熱交換器と、を備えた空気調和機の室内機であって、
前記ベルマウスの下方側に制御基板を収納するための電気品箱が設置され、
前記電気品箱は、その内側側面が前記遠心送風機の空気吸入口の縁より中央側にせり出す構造であり、
前記吸込みグリルを通した吸い込み空気が前記電気品箱の内側側面の下端端部に当たらないように、前記吸い込み空気に対する遮蔽部材が前記吸込みグリルと前記電気品箱との間に設けられ、
前記遮蔽部材は、前記電気品箱の底面に設けた蓋の内側底面に対して、前記電気品箱の内側側面を延長した形状で前記フィルタに概ね接するまで垂直に設置されたものである
ことを特徴とする空気調和機の室内機。
【請求項３】
請求項２において、
前記遮蔽部材は、垂直方向に伸縮変形可能な弾性素材から作成されたものであることを特徴とする空気調和機の室内機。
【請求項４】
室内空気の吸込み口となる吸込みグリル、前記吸込みグリルの上面に取り付けられたフィルタ、前記吸込みグリルの周囲に設けられた空気を吹き出す吹出し口、を有する化粧パネルと、前記化粧パネルの上部に配置された筐体と、前記筐体の内部下面に前記吸込みグリルに対応する位置に設けられたベルマウスと、前記ベルマウスを通して空気を吸い込むとともに空気を吐き出す前記筐体の内部上面に設けられた遠心送風機と、前記遠心送風機の周囲に設けられた室内熱交換器と、を備えた空気調和機の室内機であって、
前記ベルマウスの下方側に制御基板を収納するための電気品箱が設置され、
前記電気品箱は、その内側側面が前記遠心送風機の空気吸入口の縁より中央側にせり出す構造であり、
前記吸込みグリルは、その中央部分に設けられた空気を吸い込む桟と前記桟の外周部分に設けられた外周枠とからなり、
前記フィルタは、前記吸込みグリルの上面に離脱可能に取り付けられ、
前記吸込みグリルを通した吸い込み空気が前記電気品箱の内側側面の下端端部に当たらないように、前記吸い込み空気に対する遮蔽部材が前記吸込みグリルと前記電気品箱との間に設けられ、
前記遮蔽部材は、前記外周枠の略上半分が、前記電気品箱の前記内側側面の下端端部に垂直対向する部位まで延設されたものである
ことを特徴とする空気調和機の室内機。
【発明の詳細な説明】
【技術分野】
【０００１】
本発明は、筐体に接続された化粧パネルに設けた吸込みグリルから室内空気を吸い込み、筐体内部で熱交換した後、化粧パネルに設けた吹き出し口から室内に空気を吹き出す空気調和機において、送風機として遠心送風機を備えるとともに、遠心送風機の吸入側に制御基板などを収納した電気品箱を設けた空気調和機における室内機の構造に関する。
【背景技術】
【０００２】
空気調和機は、冷媒が封入された冷媒循環流路に、冷媒を圧縮する圧縮機と、冷媒と室内の空気とを熱交換させる室内熱交換器と、冷媒を減圧する膨張弁と、冷媒と外気とを熱交換させる室外熱交換器とを順次配設してなる冷凍サイクルを備えている。空気調和機の内で室内熱交換器は、この室内熱交換器に室内の空気を送る送風機と共に、室内機の筐体内に格納されている。
【０００３】
このような室内機には様々な形態のものがあるが、近年、特に業務用の分野では、筐体を天井内に埋め込み、天井面に設置された化粧パネルを介して空気の吸い込み、吹き出しを行う、いわゆる天井埋込カセットタイプが主流となっている。
【０００４】
図１２、図１３及び図１４に、従来技術に関する空気調和機の室内機における各構成要素の配置構成図と、室内機の部分拡大図と、室内機を下方から見た平面図とを示す。この室内機は、化粧パネル１と、化粧パネル１に接続された筐体２と、から構成されている。ここで、化粧パネル１の中央部分には着脱自在の吸込みグリル３が備えられており、図１２〜図１４に示す構成例では、吸込みグリル３はその中央部に縦線のハッチング部分で示す吸込みグリル３の桟３３と吸込みグリル３の外周枠３４とから形成される。この吸込みグリル３の桟３３の部分から空気が吸い込まれる。化粧パネル１には、図示するように風向板４を備えた吹出し口５が配設されている。
【０００５】
筐体２内に設置されたモータ６を駆動させてモータ６の軸に接続された遠心送風機７を回転させることにより、図１２の矢印８に示すように、室内空気は吸込みグリル３の桟３３、吸込みグリル３に設置されたフィルタ９、筐体２内に設置されたベルマウス１０を通して遠心送風機７に吸い込まれ、矢印１１で示されるように室内熱交換器１２で熱交換された後、吹出し口５より室内に吹出される。また、室内熱交換器１２の下部には冷房時に室内熱交換器１２に生じる結露水を受けるためのドレンパン１３が設置されている。また、吸込みグリル３はフィルタ９とともに化粧パネル１から着脱可能であり、フィルタ９の清掃が容易な構造となっている。なお、本発明を示す図1〜図１１においても、室内機の基本的な構成はほぼ同様である。
【０００６】
ここで、ベルマウス１０の下面又は下方側には室内機の運転を制御するための図示しない制御基板を収納した電気品箱１４が設置されており（電気品箱１４はドレンパン１３に固設されてもよい）、吸込みグリル３を開けることにより、容易に電気品箱１４のメンテナンスが可能な構造となっている。また、限られた寸法内に各部品を配置するため、電気品箱１４が遠心送風機７の吸入口３０の一部を塞ぐように配置される場合も多い。このような場合、電気品箱１４の下方から吸込み、遠心送風機７の吸入口３０に向かう空気の流れは、図１２及び図１３の矢印１５のように電気品箱１４の下面の端部（側面の下端端部）１６において剥離を起こして剥離渦が生じ空気流れの乱れが発生する。この乱れが遠心送風機７に到達することにより騒音が大きくなるという不具合が生じる。
【０００７】
そこで、電気品箱をＬ字形状とし、電気品箱の吸込み側側面を平面で且つ直交する２辺で構成し、電気品箱の収容面積を確保するとともに、電気品箱１４の遠心送風機吸入口３０側側面と遠心送風機の吸入口３０又はベルマウス１０の吸入口までの距離を大きくして騒音を低減する提案がなされている（例えば、特許文献１を参照）。
【先行技術文献】
【特許文献】
【０００８】
【特許文献１】特開２００３−７４９００号公報
【発明の概要】
【発明が解決しようとする課題】
【０００９】
しかしながら、上記特許文献１に示されたような電気品箱１４は、万一、不具合や経年劣化などで制御基板などから発火した際に外部への延焼を防ぐために板金で製造されることが多く、例えば、Ｌ字形状のような形状で製造することは複雑な製造工程を要しコストの増加につながる。また、電気品箱１４の下面端部１６に丸みを持たせて、吸い込み空気の剥離を生じにくくさせることも考えられるが、丸みを持たせた部分の厚さが減ってしまうため、電気品箱１４の実質的な収納容積を小さくしてしまうといった不具合も生じる。
【００１０】
本発明は、空気を吸い込む遠心送風機とベルマウスの下方側に電気品箱を備えた空気調和機の室内機において、電気品箱の下面端部（側面下端端部）で吸い込み空気が剥離しないような、吸い込み空気の遮蔽部材を設けた空気調和機の室内機を提供することにある。
【課題を解決するための手段】
【００１１】
前記課題を解決するために、本発明は主として次のような構成を採用する。  
室内空気の吸込み口となる吸込みグリル、前記吸込みグリルの上面に取り付けられたフィルタ、前記吸込みグリルの周囲に設けられた空気を吹き出す吹出し口、を有する化粧パネルと、前記化粧パネルの上部に配置された筐体と、前記筐体の内部下面に前記吸込みグリルに対応する位置に設けられたベルマウスと、前記ベルマウスを通して空気を吸い込むとともに空気を吐き出す前記筐体の内部上面に設けられた遠心送風機と、前記遠心送風機の周囲に設けられた室内熱交換器と、を備えた空気調和機の室内機であって、前記ベルマウスの下方側に制御基板を収納するための電気品箱が設置され、前記電気品箱は、その内側側面が前記遠心送風機の空気吸入口の縁より中央側にせり出す構造であり、前記吸込みグリルを通した吸い込み空気が前記電気品箱の内側側面の下端端部に当たらないように、前記吸い込み空気に対する遮蔽部材が前記吸込みグリルと前記電気品箱との間に設けられ、前記遮蔽部材は、前記電気品箱の内側側面の側面部と一体構造であり、且つ前記側面部を前記フィルタに概ね接するまで延設したものである構成とする。
【００１２】
また、室内空気の吸込み口となる吸込みグリル、前記吸込みグリルの上面に取り付けられたフィルタ、前記吸込みグリルの周囲に設けられた空気を吹き出す吹出し口、を有する化粧パネルと、前記化粧パネルの上部に配置された筐体と、前記筐体の内部下面に前記吸込みグリルに対応する位置に設けられたベルマウスと、前記ベルマウスを通して空気を吸い込むとともに空気を吐き出す前記筐体の内部上面に設けられた遠心送風機と、前記遠心送風機の周囲に設けられた室内熱交換器と、を備えた空気調和機の室内機であって、前記ベルマウスの下方側に制御基板を収納するための電気品箱が設置され、前記電気品箱は、その内側側面が前記遠心送風機の空気吸入口の縁より中央側にせり出す構造であり、前記吸込みグリルを通した吸い込み空気が前記電気品箱の内側側面の下端端部に当たらないように、前記吸い込み空気に対する遮蔽部材が前記吸込みグリルと前記電気品箱との間に設けられ、前記遮蔽部材は、前記電気品箱の底面に設けた蓋の内側底面に対して、前記電気品箱の内側側面を延長した形状で前記フィルタに概ね接するまで垂直に設置されたものである構成とする。
【００１３】
また、室内空気の吸込み口となる吸込みグリル、前記吸込みグリルの上面に取り付けられたフィルタ、前記吸込みグリルの周囲に設けられた空気を吹き出す吹出し口、を有する化粧パネルと、前記化粧パネルの上部に配置された筐体と、前記筐体の内部下面に前記吸込みグリルに対応する位置に設けられたベルマウスと、前記ベルマウスを通して空気を吸い込むとともに空気を吐き出す前記筐体の内部上面に設けられた遠心送風機と、前記遠心送風機の周囲に設けられた室内熱交換器と、を備えた空気調和機の室内機であって、前記ベルマウスの下方側に制御基板を収納するための電気品箱が設置され、前記電気品箱は、その内側側面が前記遠心送風機の空気吸入口の縁より中央側にせり出す構造であり、前記吸込みグリルは、その中央部分に設けられた空気を吸い込む桟と前記桟の外周部分に設けられた外周枠とからなり、前記フィルタは、前記吸込みグリルの上面に離脱可能に取り付けられ、前記吸込みグリルを通した吸い込み空気が前記電気品箱の内側側面の下端端部に当たらないように、前記吸い込み空気に対する遮蔽部材が前記吸込みグリルと前記電気品箱との間に設けられ、前記遮蔽部材は、前記外周枠の略上半分が、前記電気品箱の前記内側側面の下端端部に垂直対向する部位まで延設されたものである構成とする。
【発明の効果】
【００１４】
本発明によれば、電気品箱の内側側面の下端端部（下面の内側端部）での吸い込み空気の剥離を防止することができ、剥離した空気の流れによる騒音の増加を防止することができる。
【図面の簡単な説明】
【００１５】
【図１】本発明の実施形態に係る空気調和機の室内機における各構成要素の配置構成を示す実施例１の図である。
【図２】本発明の実施形態に係る空気調和機の室内機における実施例１の部分拡大図である。
【図３】本発明の実施形態に係る空気調和機の室内機における各構成要素の配置構成を示す実施例２の図である。
【図４】本発明の実施形態に係る空気調和機の室内機における実施例２の部分拡大図である。
【図５】本発明の実施形態に係る空気調和機の室内機における各構成要素の配置構成を示す実施例３の図である。
【図６】本発明の実施形態に係る空気調和機の室内機における実施例３の部分拡大図である。
【図７】本発明の実施形態に係る空気調和機の室内機における各構成要素の配置構成を示す実施例４の図である。
【図８】本発明の実施形態に係る空気調和機の室内機における各構成要素の配置構成を示す実施例５の図である。
【図９】本発明の実施形態に係る空気調和機の室内機における実施例５の部分拡大図である。
【図１０】本発明の実施形態に係る空気調和機の室内機における各構成要素の配置構成を示す実施例６の図である。
【図１１】本発明の実施形態に係る空気調和機の室内機における実施例２と実施例３を下方から見た平面図である。
【図１２】従来技術に関する空気調和機の室内機における各構成要素の配置構成を示す図である。
【図１３】従来技術に関する空気調和機の室内機の部分拡大図である。
【図１４】従来技術に関する空気調和機の室内機を下方から見た平面図である。
【発明を実施するための形態】
【００１６】
本発明の実施形態に係る空気調和機の室内機における各構成要素の配置構成を示す実施例１〜６について、図1〜図１１を参照しながら以下詳細に説明する。図面において、１は化粧パネル、２は筐体、３は吸込みグリル、４は風向板、５は吹出し口、６はモータ、７は遠心送風機、８は吸込み空気の流れを示す矢印、９はフィルタ、１０はベルマウス、１１は吹出し空気の流れを示す矢印、１２は室内熱交換器、１３はドレンパン、１４は電気品箱、１６は電気品箱の下面内側端部（側面の下端端部）、１８は遮蔽部材、１９は電気品箱近傍で遠心送風機に吸い込まれる空気流れを示す矢印、２１は遮蔽部材、２３は遮蔽部材、２４は電気品箱の蓋、２５は遮蔽部材、２６は遮蔽部材、３０は遠心送風機の吸入口、３３は吸込みグリルの桟、３４は吸込みグリルの外周枠、をそれぞれ表す。
【００１７】
図１と図２を用いて、本発明の実施形態に係る空気調和機の室内機における各構成要素の配置構成を示す実施例１を説明する。この実施例１は、基本的な構造として化粧パネル１と化粧パネル１に接続された筐体２から構成されている。ここで、化粧パネル１はその中央部分に吸込みグリル３を備え、その周囲に風向板４を備えた吹出し口５が配設されている。吸込みグリル３は、図１と図２に示すように、空気を吸込むグリル３の桟３３（縦線で示すハッチング部分）と、吸込みグリル３の外周枠３４とから構成される。
【００１８】
また、筐体２内の中央部にはモータ６の軸に接続された遠心送風機７が設置され、遠心送風機７の周囲には室内熱交換器１２が配置される。また、遠心送風機７の下方にはベルマウス１０が取り付けられているとともに、ベルマウス１０の下面又は下方側には室内機の運転を制御するための図示しない制御基板を収納した電気品箱１４が遠心送風機７の吸入口４０の一部を塞ぐように設置されている。電気品箱１４は、吸込みグリル３の桟３３から遠心送風機７の吸入口３０への空気流れ上下方向に沿った電気品箱１４の側面が、電気品箱１４の内部容積の確保のために、遠心送風機７の吸入口３０の縁よりもその中央側にせり出している。なお、電気品箱１４の水平面における縦横寸法は、その横寸法が前述したように吸入口３０の縁より中央側にせり出した長さであり、その縦寸法が不図示であるが吸込むグリル３の一辺（図１４を参照）に略対応する長さである。
【００１９】
また、吸込みグリル３には、電気品箱１４の下面及び下面端部（内側側面の下端端部）１６に吸込み空気８の流れが当たらないように空気流れを塞ぐ遮蔽部材１８が設置されている。遮蔽部材１８は、吸い込みグリル３の外周枠３４に延設されたものであり、図２に詳細に示すように、電気品箱１４の横長さ（図２の紙面方向で左右長さ）に相当する分だけ外周枠３４から延設されている。なお、電気品箱１４の縦長さ（図２の紙面垂直方向で奥行き長さ）に相当する分だけ遮蔽部材１８が配設されている。図２に図示するように、遮蔽部材１８は、図１３に示す従来の汎用の吸込みグリル３の外周枠３４の略上半分を、吸込口の中央部に向けて電気品箱１４の内側側面に垂直方向で対向する位置まで延設したものである。この上半分の延設構造によって、吸込み空気の流れが電気品箱１４の下面端部１６に当たることが無いことは勿論、吸込みグリル３を下方から見上げた場合に、桟３３はその略下半分が残存しているので、吸込みグリル３に占める桟の形状が汎用品と同様（図１４を参照）であることによる安心感を与える。
【００２０】
図２に示すように、吸込みグリル３の外周枠３４と樹脂成形で一体となって延設した遮蔽部材１８によって、電気品箱１４の下面に垂直対向する遮蔽部材１８の面からの空気流れを塞いでいるため、この垂直対向する面から空気を吸い込むことがなく、吸込みグリル３から吸い込まれる空気は矢印１９のように電気品箱１４の下面内側端部（すなわち、電気品箱１４の内側側面の下端端部）１６で剥離を起こすことなく、遠心送風機７の吸入口３０に到達し、吸い込み空気の剥離による騒音を生じさせることがない。この実施例１では、遮蔽部材１８は吸込みグリル３の外周枠３３と樹脂で一体に成形すればよく、部品点数を低減することができる。また、吸込みグリル３の桟３３は、室内機を下方から見た場合に、図１４に示すように、吸込みグリル３において上下左右対称となっていて、美観を損ねることがなく、安心感を与える。
【００２１】
本実施形態に係る空気調和機の室内機の実施例１では、遠心送風機７を回転させると、矢印８に示すように吸込みグリル３、フィルタ９、ベルマウス１０を介して遠心送風機７に空気が吸い込まれ、遠心送風機７から吹き出される空気は矢印１１に示すように熱交換器１２で熱交換された後、吹出し口５から室内に向けて吹き出される。なお、フィルタ９は、吸込みグリル３に設けた係止部（例、係止爪）でフィルタ９の端部を係止して載置されており、吸込みグリル３からフィルタ９は取り外し自在の構造である。
【００２２】
次に、図３と図４を用いて、本発明の実施形態に係る空気調和機の室内機における各構成要素の配置構成を示す実施例２を説明する。この実施例２が、図１と図２に示す実施例１と異なっているのは、電気品箱１４の下方に配置される遮蔽部材２３の構造である。図４に図示する構造からも分かるように、電気品箱１４の下面に垂直対向して配置される吸込みグリル３は、全て遮蔽部材２３から構成される。図２との対比からも明らかなように、図４に示す実施例２では、電気品箱１４の下面に垂直対向して配置される吸込みグリル３には桟３３が設けられずに、遮蔽部材２３が設けられている。図１１は室内機を下から見た平面図であるが、吸込みグリル３の桟３３は図１１に図示するように上下対称とはなっておらず、図示例で下方の遮蔽部材２３が桟３３に食い込んでいる。図３と図４に示す構造においては、吸い込み空気の流れは実施例１と同様であり、電気品箱１４の下面端部１６で空気流れの剥離は発生しない。フィルタ９は、その長さが実施例１と同様であり、吸込みグリル３の寸法仕様に合わせた汎用品を用いることができる。
【００２３】
次に、図５と図６を用いて、本発明の実施形態に係る空気調和機の室内機における各構成要素の配置構成を示す実施例３を説明する。この実施例３が図３と図４に示す実施例２と異なっているのは、吸い込みグリル３の上面に取り付けられるフィルタ９の寸法構造である。フィルタ９の機能は、フィルタを通り抜ける空気の濾過作用であるが、実施例２を表す図４に示すフィルタの長さは、同様サイズ仕様の他の室内機におけるフィルタ長さと同じであり汎用性を有するが、図４の遮蔽部材２３の上面に配置されるフィルタ９は、遮蔽部材２３によって空気流れが塞がれているのであるから特に必要とされるものではない。この実施例３では、実施例２との対比で、フィルタ９の長さを短縮していて、電気品箱１４の側面の下端端部に垂直対向する位置までの長さに止めている。この実施例３の室内機を下方から見れば、図１１に示すように、吸込みグリル３の桟３３は上下非対称となっている。
【００２４】
次に、図７を用いて、本発明の実施形態に係る空気調和機の室内機における各構成要素の配置構成を示す実施例４を説明する。この実施例４が従来技術を示す図１２及び図１３と異なっているのは、電気品箱１４の下面に吸い込み空気流れを塞ぐ遮蔽部材２１が、フィルタ２０と一体となって吸込みグリル３上に取り付けられている点である。この実施例４において遠心送風機７に吸い込まれる空気は矢印１９のごとく、電気品箱１４の下面端部１６で空気流れの剥離を起こすことがなく、剥離に伴う剥離渦の騒音の増加を防ぐことができる。
【００２５】
また、実施例１を表す図１と図２に示すように、吸込みグリル３の内部に遮蔽部材２１を設けた場合には、その遮蔽部材２１が吸込みグリル３の桟３３を通して透けて見えて外観上目立ってしまうのに対して、この実施例４では、遮蔽部材２１が吸込みグリル３の上部に取り付けられていて、且つフィルタ２０と一体となってフィルタ２０と同色又は同色系をしているので、外部から（室内機の下方から見て）目立たない点で利点がある。なお、具体的には、遮蔽部材２１は黒色又は灰色のプラスチックからなるフィルタ２０と一体成形されていてもよい。この場合には、遮蔽部材２１の取り付けるためのコストを低減することができる。
【００２６】
次に、図８と図９を用いて、本発明の実施形態に係る空気調和機の室内機における実施例５を説明する。この実施例５が実施例１，２，３と異なるのは、電気品箱１４の遠心送風機７の吸入口３０側における内側側面に遮蔽部材２５を電気品箱１４と一体で構成している点である。電気品箱１４と一体の遮蔽部材２５は、図８と図９に示すように、吸込みグリル３の桟３３から遠心送風機７の吸入口３０への空気流れ上下方向１９に沿って、電気品箱１４の側面を垂直方向に延設し、フィルタ９に接するまで垂下したものである。また、電気品箱１４の側面を延設する代わりに、遮蔽部材２５を電気品箱１４の側面に一体的に付設しても構わない。
【００２７】
この実施例５では電気品箱１４の下面に垂直対向する下方から遠心送風機側に流れる空気の流路を遮蔽部材２５で塞いでいるため、遠心送風機７に吸い込まれる空気は矢印１９のごとく、電気品箱２３の下面端部で剥離を起こすことがなく、剥離渦による騒音の増加を防ぐことができる。
【００２８】
さらに、上述した実施例１〜４では、フィルタ９あるいは吸込みグリル３の外周枠３４の取付け長さを、電気品箱１４の下面に垂直対向する下方面が遮蔽部材１８，２１，２３で塞がれる方向に合わせなければならなかったのに対して、この実施例５では電気品箱１４の側面に遮蔽部材２５が設置されているため、吸込みグリル３、フィルタ９はその長さを気にすることなく取り付けることが出来る点で利点がある。このように、遮蔽部材２５は別途取り付けてもよいが、電気品箱１４が板金製の場合でも図９のように電気品箱２３の側端面を延長することで電気品箱１４と遮蔽部材２５を一体で構成することができ、製造コストを低減することができる。
【００２９】
次に、図１０を用いて、本発明の実施形態に係る空気調和機の室内機における実施例６を説明する。この実施例６が実施例５と異なるのは、図１０に示すような形状の遮蔽部材２６を、遠心送風機７の吸入口３０側に配置された電気品箱１４の底面蓋２４に取り付けたことである。すなわち、電気品箱１４の内側側面の側面方向に沿って遮蔽部材２６の右側面が略面一となるように、遮蔽部材２６を底面蓋２４に取り付け、さらに、遮蔽部材２６の上下方向長さは、吸込みグリル３の桟３３上のフィルタ９と底面蓋２４との間隔に略等しくされる。
【００３０】
この実施例６では、前述した実施例５と同様に、電気品箱１４の底面の下方から遠心送風機７側に流れる空気の流路を遮蔽部材２６で塞ぐことができることによって、遠心送風機７に吸い込まれる空気は矢印１９のごとく、電気品箱２７の下面端部で空気剥離を起こすことがなく、騒音の増加を防ぐことが出来る。ここで、天井埋め込み型の空気調和機の室内機では、型式が同一シリーズでも容量により製品の高さ、サイズが異なる場合がある。このとき、フィルタ９と電気品箱１４との距離も異なることになるので、仮に電気品箱１４と遮蔽部材２６を一体とすると、上記の距離に応じた複数の種類の電気品箱を用意する必要がある。
【００３１】
これに対して、この実施例６では遮蔽部材２６を後から取り付けるため、取付けのコストはかかるが電気品箱１４とフィルタ９の距離が異なる場合でも柔軟に対応することが出来る。さらに、遮蔽部材２６をスポンジ状の柔軟で変形可能な樹脂やゴムなどの弾性素材を用い、フィルタ９と電気品箱１４との距離が最も大きくなる場合に合わせて作っておけばよい。フィルタ９と電気品箱１４の距離が近い機種に対して同じサイズの遮蔽部材２６を用いても、柔軟で変形可能な遮蔽部材２６が変形することで電気品箱１４やフィルタ９、吸込みグリル３などに無理な力をかけることがないので、異なる機種でも遮蔽部材２６の寸法を変える必要がない。この際、柔軟で変形可能な遮蔽部材２６の下端がフィルタ９に当接した場合、遮蔽部材２６はその上下方向の途中で屈折するのではなく、上下方向に縮小変形するような機能を奏するものである（上下方向の長さが縮小変形で加減可能なものである）。
【００３２】
なお、本発明の実施形態は遠心送風機７の吸込み側に関する配置構成例であるので、化粧パネル１に設けられた吹出し口の数や形状などには関係なく適用できるものである。
【符号の説明】
【００３３】
１  化粧パネル
２  筐体
３  吸込みグリル
４  風向板
５  吹出し口
６  モータ
７  遠心送風機
８  吸込み空気の流れを示す矢印
９  フィルタ
１０  ベルマウス
１１  吹出し空気の流れを示す矢印
１２  室内熱交換器
１３  ドレンパン
１４  電気品箱
１５  電気品箱の下面端部で生じる空気流れの剥離を示す矢印
１６  電気品箱の下面端部
１８  遮蔽部材
１９  電気品箱近傍で遠心送風機に吸い込まれる空気流れを示す矢印
２１  遮蔽部材
２３  遮蔽部材
２４  電気品箱の蓋
２５  遮蔽部材
２６  遮蔽部材
３０  遠心送風機の吸入口
３３  吸込みグリルの桟
３４  吸込みグリルの外周枠
【図１】
0005401355.tif 000002
【図２】
0005401355.tif 000003
【図３】
0005401355.tif 000004
【図４】
0005401355.tif 000005
【図５】
0005401355.tif 000006
【図６】
0005401355.tif 000007
【図７】
0005401355.tif 000008
【図８】
0005401355.tif 000009
【図９】
0005401355.tif 000010
【図１０】
0005401355.tif 000011
【図１１】
0005401355.tif 000012
【図１２】
0005401355.tif 000013
【図１３】
0005401355.tif 000014
【図１４】
0005401355.tif 000015